(57)【要約】【課題】複数の通信相手先とのグループ通信を行う際にその時々の状況に合わせて最適な通信相手先を容易に選択する。【解決手段】複数の通信先相手とのグループ通信が可能であって、記憶部４には、グループ通信を行った際の他の通信相手先を第２通信相手先として、アドレス帳の名前データごとに対応付けて記憶し、グループ通信を行う際にアドレス帳で一人目の通信相手先が選択されると、選択された通信相手先に対応付けてアドレス帳に記憶されている第２通信相手先を、グループ通信を行う候補として表示部３に表示する。【選択図】図１
2008236496.tif 000002
【特許請求の範囲】
【請求項１】
複数の通信相手先とのグループ通信が可能な通信端末装置であって、
前記グループ通信を行った際に、通信相手先ごとに当該グループ通信時における他の通信相手先を第２通信相手先として対応付けて記憶する通信相手先記憶手段と、
通信相手先を選択する選択手段と、
前記選択手段により任意の通信相手先を選択した際に、当該通信相手先に対応付けて前記通信相手先記憶手段に記憶された第２通信相手先を今回の通信の通信相手先候補として表示する候補表示手段と、
前記候補表示手段により表示された通信相手先候補を任意に選択することで、グループ通信の通信相手先を選択する第２選択手段と
を具備することを特徴とする通信端末装置。
【請求項２】
前記選択手段による任意の通信相手先の選択時に、当該通信相手先に対応付けて前記通信相手先記憶手段に第２通信相手先が記憶されているか否かを判別する判別手段を更に具備し、
前記判別手段により第２通信相手先が記憶されていると判別された場合は、グループ通信を行うか否かを表示することを特徴とする請求項１記載の通信端末装置。
【請求項３】
前記選択手段による任意の通信相手先の選択時に、グループ通信を行うことが選択された場合に、当該通信相手先に対応付けて前記通信相手先記憶手段に第２通信相手先が記憶されているか否かを判別する第２判別手段を更に具備し、
前記第２判別手段により第２通信相手先が記憶されていると判別された場合は、前記候補表示手段に通信相手先候補を表示することを特徴とする請求項１記載の通信端末装置。
【請求項４】
前記選択手段により任意の通信相手先を選択する際に、前記通信相手先記憶手段に記憶されている通信相手先に名前が対応付けて記憶されているか否かを判別する第３判別手段を更に具備し、
前記第３判別手段により名前が対応付けて記憶されていると判別された場合は、前記候補表示手段の通信相手先候補表示に当該名前を表示することを特徴とする請求項１記載の通信端末装置。
【請求項５】
前記第２選択手段により任意の第２通信相手先が選択された際に、その第２通信相手先を今回のグループ通信の通信相手先として追加し、当該選択された第２通信相手先を前記候補表示手段から省いて表示することを特徴とする請求項１記載の通信端末装置。
【請求項６】
前記第２選択手段により任意の第２通信相手先が選択された際に、その第２通信相手先を今回のグループ通信の通信相手先として追加し、当該選択された第２通信相手先及び先に選択手段により選択された通信相手先との共通の通信相手先を前記通信相手先記憶手段から抽出する抽出手段を更に具備し、
前記抽出手段により抽出された通信相手先を前記候補表示手段に通信相手先候補として表示することを特徴とする請求項１記載の通信端末装置。
【請求項７】
前記第２選択手段により任意の第２通信相手先が選択された際に、その第２通信相手先を今回のグループ通信の通信相手先として追加し、当該選択された第２通信相手先を通信相手先として対応付けられた第２通信相手先を前記通信相手先記憶手段から抽出する第２抽出手段を更に具備し、
前記第２抽出手段により抽出された通信相手先を前記候補表示手段に通信相手先候補として表示することを特徴とする請求項１記載の通信端末装置。
【請求項８】
前記第２抽出手段により抽出された通信相手先を、前記候補表示手段に通信相手先候補として表示する際に、先に表示されていた通信相手先候補に置き換えて表示することを特徴とする請求項７記載の通信端末装置。
【請求項９】
前記第２抽出手段により抽出された通信相手先を、前記候補表示手段に通信相手先候補として表示する際に、先に表示されていた通信相手先候補に追加して表示することを特徴とする請求項７記載の通信端末装置。
【請求項１０】
前記通信相手先記憶手段に通信相手先を第２通信相手先として記憶する際に、グループ通信を行った通信相手先及びグループ通信を行った日時を対応付けて記憶することを特徴とする請求項１記載の通信端末装置。
【請求項１１】
複数の通信相手先とのグループ通信が可能なプログラムであって、
コンピュータに、
前記グループ通信を行った際に、通信相手先ごとに当該通信時における他の通信相手先を第２通信相手先として対応付けて記憶する通信相手先記憶機能、
通信相手先を選択する選択機能、
前記選択機能により任意の通信相手先を選択した際に、当該通信相手先に対応付けて前記通信相手先記憶機能に記憶された第２通信相手先を今回の通信の通信相手先候補として表示する候補表示機能、
前記候補表示機能により表示された通信相手先候補を選択することで、グループ通信の通信相手先を選択する第２選択機能、
を実現させることを特徴とするプログラム。
【発明の詳細な説明】
【技術分野】
【０００１】
本発明は、グループ通信を行う通信端末装置およびプログラムに関する。
【背景技術】
【０００２】
音声電話、テレビ電話、プッシュトーク、ＩＰメッセンジャ等複数の通信相手先と同時に通信を行う、或いは電子メール等複数の通信相手先と同報で通信を行うことができるグループ通信手段がある。これらのグループ通信手段を使用して電話会議等複数の通信相手先と通信を行う際に、発信者は複数の通信相手先の電話番号やＩＰアドレス或いはメールアドレスを一人ずつアドレス帳などから指定をする必要がある。
【０００３】
従来技術として、電話会議が開催されると参加したメンバーを含めた履歴を会議単位で記憶しておき、履歴を参照することで再度同一参加メンバーによる電話会議を容易に開催できる技術が提案されている（例えば、特許文献１参照）。
【０００４】
【特許文献１】特開２００６−３０３９２１号公報
【発明の開示】
【発明が解決しようとする課題】
【０００５】
しかしながら、従来技術においては履歴に記憶された会議単位の固定した組み合わせのメンバーを選択できるだけであるため、必要に応じてメンバーを入れ替えるといった操作は面倒である或いは手間がかかるという問題がある。
【０００６】
本発明は、このような事情に鑑みてなされたもので、グループ通信を行う際に、その時々の状況に合わせて最適な通信相手先を容易に選択することが可能な通信端末装置およびプログラムを提供することを目的とする。
【課題を解決するための手段】
【０００７】
上記目的達成のため、請求項１に記載の発明は、複数の通信相手先とのグループ通信が可能な通信端末装置であって、前記グループ通信を行った際に、通信相手先ごとに当該グループ通信時における他の通信相手先を第２通信相手先として対応付けて記憶する通信相手先記憶手段と、通信相手先を選択する選択手段と、前記選択手段により任意の通信相手先を選択した際に、当該通信相手先に対応付けて前記通信相手先記憶手段に記憶された第２通信相手先を今回の通信の通信相手先候補として表示する候補表示手段と、前記候補表示手段により表示された通信相手先候補を任意に選択することで、グループ通信の通信相手先を選択する第２選択手段とを具備することを特徴とする。
更に、コンピュータに対して、上述した請求項１記載の発明に示した主要機能を実現させるためのプログラムを提供する（請求項９記載の発明）。
【０００８】
また、好ましい態様として、例えば請求項２記載のように、前記選択手段による任意の通信相手先の選択時に、当該通信相手先に対応付けて前記通信相手先記憶手段に第２通信相手先が記憶されているか否かを判別する判別手段を更に具備し、前記判別手段により第２通信相手先が記憶されていると判別された場合は、グループ通信を行うか否かを表示するようにしてもよい。
【０００９】
また、好ましい態様として、例えば請求項３記載のように、前記選択手段による任意の通信相手先の選択時に、グループ通信を行うことが選択された場合に、当該通信相手先に対応付けて前記通信相手先記憶手段に第２通信相手先が記憶されているか否かを判別する第２判別手段を更に具備し、前記第２判別手段により第２通信相手先が記憶されていると判別された場合は、前記候補表示手段に通信相手先候補を表示するようにしてもよい。
【００１０】
また、好ましい態様として、例えば請求項４記載のように、前記選択手段により任意の通信相手先を選択する際に、前記通信相手先記憶手段に記憶されている通信相手先に名前が対応付けて記憶されているか否かを判別する第３判別手段を更に具備し、前記第３判別手段により名前が対応付けて記憶されていると判別された場合は、前記候補表示手段の通信相手先候補表示に当該名前を表示するようにしてもよい。
【００１１】
また、好ましい態様として、例えば請求項５記載のように、前記第２選択手段により任意の第２通信相手先が選択された際に、その第２通信相手先を今回のグループ通信の通信相手先として追加し、当該選択された第２通信相手先を前記候補表示手段から省いて表示するようにしてもよい。
【００１２】
また、好ましい態様として、例えば請求項６記載のように、前記第２選択手段により任意の第２通信相手先が選択された際に、その第２通信相手先を今回のグループ通信の通信相手先として追加し、当該選択された第２通信相手先及び先に選択手段により選択された通信相手先との共通の通信相手先を前記通信相手先記憶手段から抽出する抽出手段を更に具備し、前記抽出手段により抽出された通信相手先を前記候補表示手段に通信相手先候補として表示するようにしてもよい。
【００１３】
また、好ましい態様として、例えば請求項７記載のように、前記第２選択手段により任意の第２通信相手先が選択された際に、その第２通信相手先を今回のグループ通信の通信相手先として追加し、当該選択された第２通信相手先を通信相手先として対応付けられた第２通信相手先を前記通信相手先記憶手段から抽出する第２抽出手段を更に具備し、前記第２抽出手段により抽出された通信相手先を前記候補表示手段に通信相手先候補として表示するようにしてもよい。
【００１４】
また、好ましい態様として、例えば請求項８記載のように、前記第２抽出手段により抽出された通信相手先を、前記候補表示手段に通信相手先候補として表示する際に、先に表示されていた通信相手先候補に置き換えて表示するようにしてもよい。
【００１５】
また、好ましい態様として、例えば請求項９記載のように、前記第２抽出手段により抽出された通信相手先を、前記候補表示手段に通信相手先候補として表示する際に、先に表示されていた通信相手先候補に追加して表示するようにしてもよい。
【００１６】
また、好ましい態様として、例えば請求項１０記載のように、前記通信相手先記憶手段に通信相手先を第２通信相手先として記憶する際に、グループ通信を行った通信相手先及びグループ通信を行った日時を対応付けて記憶するようにしてもよい。
【発明の効果】
【００１７】
この発明によれば、グループ通信を行う場合、その内の一通信相手先を選択するだけで、過去の履歴からグループ通信を行う可能性のある他の通信相手先を知り、その通信相手先を直ちに選択することができ、その時々の状況に合わせて最適な通信相手先を容易に選択することができるという効果がある。
【発明を実施するための最良の形態】
【００１８】
以下、本発明の実施の形態を、図面を参照して説明する。
【００１９】
Ａ．第１実施形態
Ａ−１．第１実施形態の構成
図１は、本発明の実施形態による携帯電話の構成を示すブロック図である。図１において、通信部１は、図示しない無線基地局を介して、発着信を制御して音声通話やデータ通信などを行う。操作部２は、電話番号や、各種データ、動作指示などを入力する。
【００２０】
表示部３は、例えば、ＬＣＤ（Liquid Crystal
Display）や有機ＥＬ（Electro Luminescence）等で構成され、電波強度や電池残量などの端末状態、メール文書、動画及び静止画などのアプリケーションに係るデータ、携帯電話の機能を利用するために必要な画面、テレビ電話の相手先の映像などを表示する。
【００２１】
記憶部４は、所定のプログラムや、各種パラメータなどを記憶するとともに（ＲＯＭ）、制御部６の作業用エリアとして用いられる（ＲＡＭ）。特に、本実施形態では、記憶部４には、複数の通信相手先とのテレビ電話（以降グループテレビ電話と記載）の通信相手先として選択された通信相手先を一時的に記憶する選択バッファを保持している。なお、選択バッファの詳細については後述する。また、記憶部４は、グループテレビ電話の通信相手先の履歴リスト（以降フレンドリストと記載）を記憶している。
【００２２】
電話部５は、テレビ電話において、カメラ５−３から映像を取り込み、マイク５−２からの音声を取り込み、デジタル信号に変換して制御部７に供給する一方、相手先の音声信号をアナログ信号に変換してスピーカ５−１から出力する。
【００２３】
制御部６は、上述した各部の動作を所定のプログラムに従って制御する。特に、本実施形態では、通常の発着信処理や、グループテレビ電話通話処理などを行うようになっている。電源部７は、充電可能な二次電池からなり、上述した各部へ動作用の電力を供給する。
【００２４】
次に、図２は、上述した記憶部４に記憶されている選択バッファを説明するための概念図である。グループテレビ電話を行う際の通信相手先を選択するごとに一時的に記憶し、グループテレビ電話の発信先に使用すると共に、フレンドリストの記憶にも使用される。
【００２５】
次に、図３は、上述したフレンドリストを説明するための概念図である。図３に示すように、古い順からグループテレビ電話を行った通信相手先の履歴がリストで記憶されている。
【００２６】
Ａ−２．第１実施形態の動作
次に、上述した第１実施形態の動作について説明する。
【００２７】
図４は、本実施形態による携帯電話の動作（メインルーチン）を説明するためのフローチャートである。まず、電源オンにされると、待ち受け画面を表示する（ステップＳ１０）。該待ち受け状態において、アドレス帳を起動する操作があったか否かを判断し（ステップＳ１２）、起動操作があった場合は、アドレス帳を起動する。
【００２８】
次にユーザ操作によりアドレス帳から通信相手先が選択される（ステップＳ１４）と、選択された通信相手先にグループテレビ電話の通信相手先の履歴リストであるフレンドリストが記憶されているか否かを判断し（ステップＳ１６）、フレンドリストが記憶されていると判断されると、図７（ａ）に示すような単独／グループテレビ電話選択待ち状態の画面を表示部３に表示する（ステップＳ１８）。
【００２９】
単独／グループテレビ電話選択待ち状態（ステップＳ１８）において、グループテレビ電話操作が行われたか否かを判断し（ステップＳ２０）、グループテレビ電話操作が行われたと判断されると通信相手先選択処理を行う（ステップＳ２２）。通信相手先選択処理の詳細については後述するが、ここで簡単に説明すると、通信相手先選択処理では、選択された通信相手先に記憶されているフレンドリストをリスト表示し、グループテレビ電話を行う他の通信相手先を選択できるようになっている。
【００３０】
一方、グループテレビ電話操作が行われなかったと判断された場合は、単独テレビ電話操作が行われたか否かを判断し（ステップＳ２６）、単独テレビ電話操作が行われたと判断されると、通信相手先と単独テレビ電話通信が行われ（ステップＳ２８）、通信終了後、待ち受け画面（ステップＳ１０）に戻る。
【００３１】
グループテレビ電話操作、単独テレビ電話操作いずれも選択されなかった場合は、その他の操作が行われたか否かを判断し（ステップＳ３０）、その他の操作が行われたと判断されると、その操作に応じた処理を実行し（ステップＳ３２）、その後、待ち受け画面（ステップＳ１０）に戻る。一方、その他の操作も行われなかったと判断された場合は、何もせずに待ち受け画面（ステップＳ１０）に戻る。
【００３２】
通信相手先にフレンドリストが記憶されていないと判断された場合（ステップＳ１６）は、単独テレビ電話選択待ち（ステップＳ２４）となり、以下単独／グループテレビ電話選択待ち（ステップＳ１８）で単独テレビ電話操作が選択された場合（ステップＳ２６）と同様の動作となる。
【００３３】
次に通信相手先選択処理（ステップＳ２２）でグループテレビ電話を行う複数の通信相手先が選択され、発信操作が行われたか否かを判断し（ステップＳ３４）、発信操作が行われたと判断されると、図２に示す選択バッファに記憶されている通信相手先と接続を行い（ステップＳ３６）、グループテレビ電話の通信を開始する（ステップＳ３８）。
【００３４】
一方、発信操作が行われなかったと判断された場合は、その他の操作が行われたか否かを判断し（ステップＳ４０）、その他の操作が行われたと判断された場合は、その操作に応じた処理を実行し（ステップＳ４２）、その後、待ち受け画面（ステップＳ１０）に戻る。一方、その他の操作も行われなかったと判断された場合は、何もせずに待ち受け画面（ステップＳ１０）に戻る。
【００３５】
次にグループテレビ電話通信の状態（ステップＳ３８）で通信終了操作が行われたか否かを判断し（ステップＳ４４）、通信終了操作が行われたと判断されると、フレンドリスト更新処理を行う（ステップＳ４６）。フレンドリスト更新処理の詳細については後述するが、ここで簡単に説明すると、フレンドリスト更新処理では、図２に示す選択バッファに記憶されている通信相手先毎に他の通信相手先をフレンドリストとして記憶するようになっている。
【００３６】
一方、通信終了操作が行われなかった判断された場合は、その他の操作が行われたか否かを判断し（ステップＳ４８）、その他の操作が行われたと判断された場合は、その操作に応じた処理を実行し（ステップＳ５０）、その後、グループテレビ電話通信の状態（ステップＳ３８）に戻る。一方、その他の操作も行われなかったと判断された場合は、何もせずにグループテレビ電話通信の状態（ステップＳ３８）に戻る。
【００３７】
次にフレンドリスト更新処理（ステップＳ４６）が終了すると、グループテレビ電話終了処理を行い（ステップＳ５２）、待ち受け画面（ステップＳ１０）に戻る。
【００３８】
待ち受け画面（ステップＳ１０）において、アドレス帳起動操作が行われなかったと判断された場合は、その他の操作が行われたか否かを判断し（ステップＳ５４）、その他の操作が行われたと判断された場合は、その操作に応じた処理を実行し（ステップＳ５６）、その後、待ち受け画面（ステップＳ１０）に戻る。一方、その他の操作も行われなかったと判断された場合は、何もせずに待ち受け画面（ステップＳ１０）に戻る。
【００３９】
次に、通信相手先選択処理について説明する。
図５は、上述した通信相手先選択処理の動作を説明するためのフローチャートである。
【００４０】
まず図４ステップＳ１４で選択された通信相手先を図２に示す選択バッファに追加する（ステップＳ６０）。
【００４１】
次に選択された通信相手先に記憶されているフレンドリストを図７（ｂ）に示すように表示部３に表示する（ステップＳ６２）。その際、通信相手先に名前が対応付けて登録されている場合は、名前を表示する。ここでは選択された「山田Ａ郎」のフレンドリストを表示している。
【００４２】
続いてフレンドリスト表示から通信相手先が選択されたか否か判断し（ステップＳ６４）、通信相手先が選択されたと判断された場合は、図７（ｃ）に示すように通信相手先が選択表示された画面を表示部３に表示し（ステップＳ６６）、選択された通信相手先を図２に示す選択バッファに追加し、図７（ｄ）に示すように通信相手先が追加された画面を表示部３に表示する（ステップＳ６８）。ここでは選択された「鈴木Ｂ也」が通信相手先として追加されている。
【００４３】
一方フレンドリスト選択操作が行われなかったと判断された場合は、その他の追加操作が行われたかを判断し（ステップＳ７０）、その他の追加操作が行われたと判断された場合は、図７（ｅ）に示すようにメンバー選択メニューを表示部３に表示する（ステップＳ７２）。メンバー選択メニュー（ステップＳ７２）からユーザ操作によりアドレス帳、発着信履歴或いは直接入力で通信相手先が選択され（ステップＳ７４）、選択された通信相手先を図２に示す選択バッファに追加する（ステップＳ６８）。
【００４４】
次に通信相手先の追加操作があるか否かを判断し（ステップＳ７６）、追加操作があると判断された場合は、ステップＳ６２からステップＳ７４の動作を繰り返す。
【００４５】
追加操作におけるフレンドリスト表示では、図７（ｃ）の第１の変形例として、図７（ｆ）に示すようにすでに図２に示す選択バッファに追加されている通信相手先を除いて表示する。ここではすでに選択されている「鈴木Ｂ也」は除かれて表示している。
【００４６】
また第２の変形例として図７（ｇ）に示すようにステップＳ１４で選択された通信相手先とステップＳ６６或いはステップＳ７４で選択された通信相手先との共通のフレンドリストのみを抽出して表示する。ここでは「山田Ａ郎」と「鈴木Ｂ也」の共通のフレンドリストを表示している。
【００４７】
また第３の変形例として図７（ｈ）に示すようにステップＳ６６或いはステップＳ７４で選択された通信相手先に記憶されているフレンドリストを表示部３に表示するようにしても良い。ここでは選択された「鈴木Ｂ也」のフレンドリストを表示しているが、先に表示されていた「山田Ａ郎」のフレンドリストに、選択された「鈴木Ｂ也」のフレンドリストを追加して表示するようにしても良い。
【００４８】
一方追加操作がないと判断された場合は、当該処理を終了し、上述したメインルーチンに戻る。
【００４９】
フレンドリスト選択操作もその他の追加操作も行われなかったと判断された場合は、その他の操作が行われたか否かを判断し（ステップＳ７８）、その他の操作が行われたと判断された場合は、その操作に応じた処理を実行し（ステップＳ８０）、その後、当該処理を終了し、上述したメインルーチンに戻る。一方、その他の操作も行われなかったと判断された場合は、何もせずに上述したメインルーチンに戻る。
【００５０】
次に、フレンドリスト更新処理について説明する。
図６は、上述したフレンドリスト更新処理の動作を説明するためのフローチャートである。
【００５１】
変数ｉを１とし（ステップＳ９０）、図２に示す選択バッファにアクセスし、Ｎｏ．＝ｉの通信相手先Ａを取得し（ステップＳ９２）、取得した通信相手先Ａのアドレス帳に記憶されているフレンドリストを開く（ステップＳ９４）。
【００５２】
次に変数ｊを１とし（ステップＳ９６）、図２に示す選択バッファにアクセスし、Ｎｏ．＝ｊの通信相手先Ｂを取得し（ステップＳ９８）、取得した通信相手先Ａと通信相手先Ｂが一致するか否かを判断し（ステップＳ１００）、一致すると判断された場合は、変数ｊを１だけインクリメントし（ステップＳ１０２）、変数ｊが最大Ｎｏ．より大きいか否かを判断し（ステップＳ１０４）、変数ｊが最大Ｎｏ．より大きくないと判断された場合、すなわち、図２に示す選択バッファの全ての通信相手先を取得していない場合は、ステップＳ９８に戻り、次の通信相手先に対して上述した処理を繰り返す。
【００５３】
一方通信相手先Ａと通信相手先Ｂが一致しないと判断された場合は、通信相手先Ｂが図３に示すフレンドリストに記憶されているか否かを判断し（ステップＳ１０６）、記憶されていると判断された場合は、記憶されている通信相手先Ｂを図３に示すフレンドリストから削除し（ステップＳ１０８）、新たに通信相手先Ｂをフレンドリストの最後尾に追加し（ステップＳ１１０）、ステップＳ１０２に進む。
【００５４】
通信相手先Ｂがフレンドリストに記憶されていないと判断された場合は、フレンドリストが最大記憶数に達しているか否か判断し（ステップＳ１１２）、最大記憶数に達していると判断された場合は、フレンドリストの先頭の通信相手先を削除し（ステップＳ１１４）、新たに通信相手先Ｂフレンドリストの最後尾に追加し（ステップＳ１１０）、ステップＳ１０２に進む。最大記憶数に達していないと判断された場合は、新たに通信相手先Ｂフレンドリストの最後尾に追加し（ステップＳ１１０）、ステップＳ１０２に進む。
【００５５】
一方変数ｊが最大Ｎｏ．より大きいと判断された場合は、ステップＳ１１６に進む。
【００５６】
次に変数ｉを１だけインクリメントし（ステップＳ１１６）、変数ｉが最大Ｎｏ．より大きいか否かを判断し（ステップＳ１１８）、変数ｉが最大Ｎｏ．より大きくないと判断された場合、すなわち、図２に示す選択バッファの全ての通信相手先を取得していない場合は、ステップＳ９２に戻り、次の通信相手先に対して上述した処理を繰り返す。
【００５７】
一方変数ｉが最大Ｎｏ．より大きいと判断された場合は、当該処理を終了し、上述したメインルーチンに戻る。
【００５８】
上述した第１実施形態によれば、グループ通信を行う場合、その一通信相手先を選択するだけで、過去の履歴からグループ通信を行う可能性のある他の通信相手先を知り、その通信相手先を直ちに選択することができ、その時々の状況に合わせて最適な通信相手先を容易に選択することができるという効果がある。
【００５９】
また第１実施形態によれば、選択した通信相手先に第２通信相手先が記憶されている場合は、グループ通信を行うか否か選択できるようにしたことにより、過去に選択した通信相手先でグループ通信を行ったことがあるかどうかが分かるという効果がある。
【００６０】
また第１実施形態によれば、通信相手先候補表示に表示する通信相手先に名前が対応付けて記憶されている場合は、名前を表示するようにしたことにより、通信相手先候補表示が分かりやすくなるという効果がある。
【００６１】
また第１実施形態によれば、通信相手先候補表示から更に通信相手先が選択された場合に、通信相手先候補から選択された通信相手先を除いて表示することで、選択した通信相手先が明確になるという効果がある。
【００６２】
また第１実施形態によれば、通信相手先候補表示から更に通信相手先が選択された場合に、先に選択された通信相手先と後から選択された通信相手先の共通の通信相手先のみを抽出して表示するようにしたことにより、より選択する可能性の高い通信相手先のみが表示されるだけでなく、通信相手先を間違えにくくなるという効果がある。
【００６３】
また第１実施形態によれば、通信相手先候補表示から更に通信相手先が選択された場合に、通信相手先候補表示を、後から選択された通信相手先に対応付けられている第２通信相手先を抽出して表示するようにしたことにより、通信相手先の選択肢が広がるという効果がある。
【００６４】
また第１実施形態によれば、通信相手先候補表示から更に通信相手先が選択された場合に、通信相手先候補表示を、後から選択された通信相手先に対応付けられている第２通信相手先を抽出して表示し、先に表示していた候補表示から置き換えて表示するようにしたことにより、通信相手先の選択肢広がるという効果がある。
【００６５】
また第１実施形態によれば、通信相手先候補表示から更に通信相手先が選択された場合に、通信相手先候補表示を、後から選択された通信相手先に対応付けられている第２通信相手先を抽出して表示し、先の表示していた候補表示に追加して表示するようにしたことにより、通信相手先の選択肢が広がるという効果がある。
【００６６】
Ｂ．第２実施形態
次に、本発明の第２実施形態について説明する。
本第２実施形態は、第１実施形態ではアドレス帳から通信相手先が選択された後に選択された通信相手先に図３に示すフレンドリストが記憶されているかを判断するのに対して、グループテレビ電話操作が行われた後に選択された通信相手先にフレンドリストが記憶されているかを判断している。
【００６７】
Ｂ−１．第２実施形態の構成
全体のシステム構成については図１と、選択バッファについては図２と、フレンドリストについては図３と同様であるので説明を省略する。
【００６８】
Ｂ−２．第２実施形態の動作
携帯電話の動作（メインルーチン）説明するためのフローチャートは図４を使用し、図４と異なる動作のみ説明する。
【００６９】
ユーザ操作によりアドレス帳から通信相手先が選択される（ステップＳ１４）と、グループテレビ電話操作が行われたか否かを判断し（ステップＳ２０）、グループテレビ電話操作が行われたと判断された場合は、通信相手先選択処理を行う（ステップＳ２２）。一方グループテレビ電話操作が行われなかったと判断された場合は、単独テレビ電話操作が行われたか否かを判断し（ステップＳ２６）、単独テレビ電話操作が行われたと判断された場合は、通信相手先と単独テレビ電話通信が行われ（ステップＳ２８）、通信終了後、待ち受け画面（ステップＳ１０）に戻る。
【００７０】
グループテレビ電話操作、単独テレビ電話操作いずれも選択されなかったと判断された場合は、その他の操作が行われたか否かを判断し（ステップＳ３０）、その他の操作が行われたと判断された場合は、その操作に応じた処理を実行し（ステップＳ３２）、その後、待ち受け画面（ステップＳ１０）に戻る。一方、その他の操作も行われなかったと判断された場合は、何もせずに待ち受け画面（ステップＳ１０）に戻る。以降図４と同様の動作となる。
【００７１】
次に、通信相手先選択処理について説明する。
図８は、上述した通信相手先選択処理の動作を説明するためのフローチャートである。図５と同一の動作となるステップは図５と同一の符号を付け、図５と異なる動作のみ説明する。
【００７２】
図４ステップＳ１４で選択された通信相手先を図２に示す選択バッファに追加し（ステップＳ６０）、選択された通信相手先に記憶されているフレンドリストが記憶されているか否かを判断し（ステップＳ８２）、フレンドリストが記憶されていると判断された場合は、図７（ｂ）に示すようにフレンドリストを表示部３に表示する（ステップＳ６２）。
【００７３】
一方フレンドリストが記憶されていないと判断された場合は、図７（ｅ）に示すようにメンバー選択メニューを表示部３に表示する（ステップＳ７２）。以降図５と同様の動作となる。
【００７４】
なお、フレンドリスト更新処理の動作は図６と同様であるので説明を省略する。
【００７５】
上述した第２実施形態によれば、選択した通信相手先でグループ通信を行おうとした際に第２通信相手先が記憶されている場合は、グループ通信の通信相手先候補として表示するようにしたことにより、グループ通信を行う可能性の高い通信相手先が表示され、通信相手先の選択が容易になるという効果がある。
【００７６】
Ｃ．第３実施形態
次に、本発明の第３実施形態について説明する。
本第３実施形態では第１実施形態ではフレンドリストを一通信相手先単位で記憶するのに対して、グループテレビ電話の通信終了日時に対応付けてそのときに通信した他の通信相手先をまとめて記憶している。
【００７７】
Ｃ−１．第３実施形態の構成
全体のシステム構成については図１と、選択バッファについては図２と同様であるので説明を省略する。
図９は、フレンドリストを説明するための概念図である。図９に示すように、通信終了日時毎にそのときに通信した他の通信相手先の履歴がリストで記憶されている。
【００７８】
Ｃ−２．第３実施形態の動作
本実施形態による携帯電話の動作（メインルーチン）は図４の第２実施形態と同様であるので説明を省略する。
【００７９】
次に、通信相手先選択処理について説明する。
図１０は、通信相手先選択処理の動作を説明するためのフローチャートである。
図４ステップＳ１４で選択された通信相手先を図２に示す選択バッファに追加し（ステップＳ１２０）、選択された通信相手先に記憶されているフレンドリストが記憶されているか否かを判断し（ステップＳ１２２）、フレンドリストが記憶されていると判断された場合は、通信毎にまとめて記憶されたフレンドリストを図１２（ａ）に示すように表示部３に表示する（ステップＳ１２４）。ここでは選択された「山田Ａ郎」のフレンドリストを表示している。
【００８０】
次にフレンドリスト表示から通信相手先が選択されたか否か判断し（ステップＳ１２６）、通信相手先が選択されたと判断された場合は、一括選択操作が行われたか否かを判断し（ステップＳ１２８）、一括選択操作が行われたと判断された場合は、フレンドリストの通信毎の全通信相手先を選択バッファに追加し（ステップＳ１３０）、図１２(ｂ)に示すように通信相手先が追加された画面を表示部３に表示する。ここでは、図１２(ａ)（５）（尚、図面では丸付数字で示している。）の一括選択が選択され、「五木Ｄ吉」と「090-yyyy-yyyy」が通信相手先として追加されている。
【００８１】
一方一括選択操作が行われなかったと判断された場合は、図１２（ｃ）に示すように個別にフレンドリストから通信相手先が選択表示された画面を表示部３に表示し（ステップＳ１３２）、選択された通信相手先を図２に示す選択バッファに追加し、図１２（ｄ）に示すように通信相手先が追加された画面を表示部３に表示する（ステップＳ１３４）。ここでは選択された「木村Ｃ一」が通信相手先として追加されている。
【００８２】
フレンドリスト選択操作がおこなわれなかったと判断された場合は、その他の追加操作が行われたか否かを判断し（ステップＳ１３６）、図１２（ｅ）に示すようにメンバー選択メニュー表示し（ステップＳ１３８）、ユーザ操作によりメンバー選択メニューからアドレス帳、発着信例暦或いは直接入力で通信相手先が選択され（ステップＳ１４０）、選択された通信相手先を図２に示す選択バッファに追加する（ステップＳ１３４）。
【００８３】
次に通信相手先の追加操作があるか否かを判断（ステップＳ１４２）し、追加操作があると判断された場合は、ステップＳ１２２からステップＳ１４０の動作を繰り返す。
【００８４】
一方フレンドリスト選択操作もその他の追加操作も行われなかったと判断された場合は、その他の操作が行われたか否かを判断し（ステップＳ１４４）、その他の操作が行われたと判断された場合は、その操作に応じた処理を実行し（ステップＳ１４６）、その後、当該処理を終了し、上述したメインルーチンに戻る。一方、その他の操作も行われなかったと判断された場合は、何もせずに上述したメインルーチンに戻る。
【００８５】
次に、フレンドリスト更新処理について説明する。
図１１は、フレンドリスト更新処理の動作を説明するためのフローチャートである。
変数ｉを１とし（ステップＳ１５０）、図２に示す選択バッファにアクセスし、Ｎｏ．＝ｉの通信相手先を取得し（ステップＳ１５２）、取得した通信相手先のアドレス帳に記憶されているフレンドリストを開く（ステップＳ１５４）。
【００８６】
次にフレンドリストが最大記憶数に達しているか否か判断し（ステップＳ１５６）、最大記憶数に達していると判断された場合は、フレンドリストの先頭の通信相手先を削除し（ステップＳ１５８）、通信終了日時と対応付けて今回通信した他の通信相手先をまとめてフレンドリストの最後尾に追加し（ステップＳ１６０）、変数ｉを１だけインクリメントし（ステップＳ１６２）、変数ｉが最大Ｎｏ．より大きいか否かを判断し（ステップＳ１６４）、変数ｉが最大Ｎｏ．より大きくないと判断された場合は、すなわち、図２に示す選択バッファの全ての通信相手先を取得していない場合は、ステップＳ１５２に戻り、次の通信相手先に対して上述した処理を繰り返す。
【００８７】
一方変数ｉが最大Ｎｏ．より大きいと判断された場合は、当該処理を終了し、上述したメインルーチンに戻る。
【００８８】
上述した第３実施形態によれば、グループ通信を行った日時毎にまとめて通信相手先を記憶するようにしたことにより、同一メンバーによるグループ通信が容易に開催できるという効果がある。
【００８９】
上述した各実施例においては、グループテレビ電話を例示した場合を示したが、グループ音声電話、プッシュトーク、ＩＰメッセンジャ、電子メール等であっても同様に適用可能である。
【図面の簡単な説明】
【００９０】
【図１】本発明の第１、第２、第３実施形態による携帯電話の構成を示すブロック図である。
【図２】本第１、第２、第３実施形態による選択バッファの構成を示す概念図である。
【図３】本第１、２実施形態によるフレンドリストのリスト構成を示す概念図である。
【図４】本第１、第２、第３実施形態による携帯電話の動作を説明するためのフローチャート（メインルーチン）である。
【図５】本第１実施形態による通信相手先選択処理の動作を説明するためのフローチャートである。
【図６】本第１、第２実施形態によるフレンドリスト更新処理の動作を説明するためのフローチャートである。
【図７】本第１、第２実施形態による動作を説明するための図である。
【図８】本第２実施形態による通信相手先選択処理の動作を説明するためのフローチャートである。
【図９】本第３実施形態によるフレンドリストのリスト構成を示す概念図である。
【図１０】本第３実施形態による通信相手先処理の動作を説明するためのフローチャートである。
【図１１】本第３実施形態によるフレンドリスト更新処理の動作を説明するためのフローチャートである。
【図１２】本第３実施形態による動作を説明するための図である。
【符号の説明】
【００９１】
１  通信部
２  操作部
３  表示部
４  記憶部
５  電話部
５−１  スピーカ
５−２  マイク
５−３  カメラ
６  制御部
【図１】
2008236496.tif 000003
【図２】
2008236496.tif 000004
【図３】
2008236496.tif 000005
【図４】
2008236496.tif 000006
【図５】
2008236496.tif 000007
【図６】
2008236496.tif 000008
【図７】
2008236496.tif 000009
【図８】
2008236496.tif 000010
【図９】
2008236496.tif 000011
【図１０】
2008236496.tif 000012
【図１１】
2008236496.tif 000013
【図１２】
2008236496.tif 000014